(57)【特許請求の範囲】
【請求項１】
ダウンリンク制御情報送信方法であって、前記方法が、
ターゲットリソースが分割されたM個のリソースサブセットに基づいて第1のリソースセットを決定するステップであって、
前記ターゲットリソースは周波数領域内で連続であり、前記M個のリソースサブセットのうちの少なくとも2つが周波数領域内で重複せず、各リソースサブセットが少なくとも1つの制御チャネルベアリングリソースユニットを備え、Mが整数であり、M≧2であり、
前記第1のリソースセットがN個の制御チャネルベアリングリソースユニットを備え、前記N個の制御チャネルベアリングリソースユニットのうちの少なくとも2つが異なるリソースサブセットに属し、前記N個の制御チャネルベアリングリソースユニットのうちの少なくとも2つが周波数領域内で不連続であり、N≧2であり、
前記N個の制御チャネルベアリングリソースユニットが前記M個のリソースサブセットの一部またはすべてに属し、
前記N個の制御チャネルベアリングリソースユニットのそれぞれが少なくとも2つのリソース要素グループ（REG）を含み、各制御チャネルベアリングリソースユニットに含まれる少なくとも2つのREGは周波数領域内で連続であり、各REGは複数のリソース要素（RE）を含む、ステップと、
前記第1のリソースセット上で端末デバイスにダウンリンク制御情報を送信するステップと
を備える、方法。
【請求項２】
各制御チャネルベアリングリソースユニットに含まれる前記少なくとも2つのREGは、周波数領域内で連続であることは、各制御チャネルベアリングリソースユニットに含まれる前記少なくとも2つのREGの前記REは、周波数領域内で連続であることを含む、請求項1に記載の方法。
【請求項３】
前記ターゲットリソースが時間領域内の少なくとも1つの時間領域要素を備え、時間領域内の1つの制御チャネルベアリングリソースユニットが1つの時間領域要素に対応する、請求項1に記載の方法。
【請求項４】
前記M個のリソースサブセットによって占有される周波数領域帯域幅が、前記ターゲットリソースの帯域幅以下である、請求項1から3のいずれか一項に記載の方法。
【請求項５】
前記方法が、
マッピング関係を決定するステップであって、前記マッピング関係が、前記ダウンリンク制御情報を含む少なくとも1つのダウンリンク制御情報と、前記第1のリソースセットを含む少なくとも1つのリソースセットとの間の対応関係を示す、ステップ
をさらに備え、
前記M個のリソースサブセットに基づいて第1のリソースセットを決定する前記ステップが、
前記マッピング関係に従って、前記ダウンリンク制御情報に対応するリソースセットを前記第1のリソースセットとして決定するステップ
を備える、
請求項1から3のいずれか一項に記載の方法。
【請求項６】
前記N個の制御チャネルベアリングリソースユニットは、前記ダウンリンク制御情報を復調するように構成された基準信号を搬送する、請求項1から3のいずれか一項に記載の方法。
【請求項７】
ダウンリンク制御情報受信方法であって、前記方法が、
ターゲットリソースが分割されたM個のリソースサブセットに基づいて第1のリソースセットを決定するステップであって、
前記ターゲットリソースは周波数領域内で連続であり、前記M個のリソースサブセットのうちの少なくとも2つが周波数領域内で重複せず、各リソースサブセットが少なくとも1つの制御チャネルベアリングリソースユニットを備え、Mが整数であり、M≧2であり、
前記第1のリソースセットがN個の制御チャネルベアリングリソースユニットを備え、前記N個の制御チャネルベアリングリソースユニットのうちの少なくとも2つが異なるリソースサブセットに属し、前記N個の制御チャネルベアリングリソースユニットのうちの少なくとも2つが周波数領域内で不連続であり、N≧2であり、
前記N個の制御チャネルベアリングリソースユニットが前記M個のリソースサブセットの一部またはすべてに属し、
前記N個の制御チャネルベアリングリソースユニットのそれぞれが複数のリソース要素グループ（REG）を含み、各制御チャネルベアリングリソースユニットに含まれる少なくとも2つのREGは周波数領域内で連続であり、各REGは複数のリソース要素（RE）を含む、ステップと、
前記第1のリソースセット上でネットワークデバイスによって送信されたダウンリンク制御情報を受信するステップと
を備える、方法。
【請求項８】
各制御チャネルベアリングリソースユニットに含まれる前記少なくとも2つのREGは、周波数領域内で連続であることは、各制御チャネルベアリングリソースユニットに含まれる前記少なくとも2つのREGの前記REは、周波数領域内で連続であることを含む、請求項7に記載の方法。
【請求項９】
前記ターゲットリソースが時間領域内の少なくとも1つの時間領域要素を備え、時間領域内の1つの制御チャネルベアリングリソースユニットが1つの時間領域要素に対応する、請求項7に記載の方法。
【請求項１０】
前記M個のリソースサブセットによって占有される周波数領域帯域幅が、前記ターゲットリソースの帯域幅以下である、請求項7から9のいずれか一項に記載の方法。
【請求項１１】
前記方法が、
マッピング関係を決定するステップであって、前記マッピング関係が、前記ダウンリンク制御情報を含む少なくとも1つのダウンリンク制御情報と、前記第1のリソースセットを含む少なくとも1つのリソースセットとの間の対応関係を示す、ステップ
をさらに備え、
M個のリソースサブセットに基づいて第1のリソースセットを決定する前記ステップが、
前記マッピング関係に従って、前記ダウンリンク制御情報に対応するリソースセットを前記第1のリソースセットとして決定するステップ
を備える、
請求項7から9のいずれか一項に記載の方法。
【請求項１２】
前記N個の制御チャネルベアリングリソースユニットは、前記ダウンリンク制御情報を復調するように構成された基準信号を搬送する、請求項7から9のいずれか一項に記載の方法。
【請求項１３】
ダウンリンク制御情報送信装置であって、前記装置が、
ターゲットリソースが分割されたM個のリソースサブセットに基づいて第1のリソースセットを決定するように構成された決定ユニットであって、
前記ターゲットリソースは周波数領域内で連続であり、前記M個のリソースサブセットのうちの少なくとも2つが周波数領域内で重複せず、各リソースサブセットが少なくとも1つの制御チャネルベアリングリソースユニットを備え、Mが整数であり、M≧2であり、
前記第1のリソースセットがN個の制御チャネルベアリングリソースユニットを備え、前記N個の制御チャネルベアリングリソースユニットのうちの少なくとも2つが異なるリソースサブセットに属し、前記N個の制御チャネルベアリングリソースユニットのうちの少なくとも2つが周波数領域内で不連続であり、N≧2であり、
前記N個の制御チャネルベアリングリソースユニットが前記M個のリソースサブセットの一部またはすべてに属し、
前記N個の制御チャネルベアリングリソースユニットのそれぞれが複数のリソース要素グループ（REG）を含み、各制御チャネルベアリングリソースユニットに含まれる少なくとも2つのREGは周波数領域内で連続であり、各REGは複数のリソース要素（RE）を含む、決定ユニットと、
前記第1のリソースセット上で端末デバイスにダウンリンク制御情報を送信するように構成された送信ユニットと
を備える、装置。
【請求項１４】
各制御チャネルベアリングリソースユニットに含まれる前記少なくとも2つのREGは、周波数領域内で連続であることは、各制御チャネルベアリングリソースユニットに含まれる前記少なくとも2つのREGの前記REは、周波数領域内で連続であることを含む、請求項13に記載の装置。
【請求項１５】
前記ターゲットリソースが時間領域内で少なくとも1つの時間領域要素を備え、時間領域内の1つの制御チャネルベアリングリソースユニットが1つの時間領域要素に対応する、請求項13に記載の装置。
【請求項１６】
前記M個のリソースサブセットによって占有される周波数領域帯域幅が、前記ターゲットリソースの帯域幅以下である、請求項13から15のいずれか一項に記載の装置。
【請求項１７】
前記装置が、
マッピング関係を決定し、前記マッピング関係が、前記ダウンリンク制御情報を含む少なくとも1つのダウンリンク制御情報と、前記第1のリソースセットを含む少なくとも1つのリソースセットとの間の対応関係を示す、ように構成された、処理ユニット
をさらに備え、
前記決定ユニットが、
前記マッピング関係に従って、前記ダウンリンク制御情報に対応するリソースセットを前記第1のリソースセットとして決定する
ようにさらに構成される、
請求項13から15のいずれか一項に記載の装置。
【請求項１８】
前記N個の制御チャネルベアリングリソースユニットは、前記ダウンリンク制御情報を復調するように構成された基準信号を搬送する、請求項13から15のいずれか一項に記載の装置。
【請求項１９】
ダウンリンク制御情報受信装置であって、前記装置は、
ターゲットリソースが分割されたM個のリソースサブセットに基づいて第1のリソースセットを決定するように構成された決定ユニットであって、
前記ターゲットリソースは周波数領域内で連続であり、前記M個のリソースサブセットのうちの少なくとも2つが周波数領域内で重複せず、各リソースサブセットが少なくとも1つの制御チャネルベアリングリソースユニットを備え、Mが整数であり、M≧2であり、前記第1のリソースセットがN個の制御チャネルベアリングリソースユニットを備え、前記N個の制御チャネルベアリングリソースユニットのうちの少なくとも2つが異なるリソースサブセットに属し、前記N個の制御チャネルベアリングリソースユニットのうちの少なくとも2つが周波数領域内で不連続であり、N≧2であり、
前記N個の制御チャネルベアリングリソースユニットが前記M個のリソースサブセットの一部またはすべてに属し、
前記N個の制御チャネルベアリングリソースユニットのそれぞれが複数のリソース要素グループ（REG）を含み、各制御チャネルベアリングリソースユニットに含まれる少なくとも2つのREGは周波数領域内で連続であり、各REGは複数のリソース要素（RE）を含む、決定ユニットと、
前記第1のリソースセット上でネットワークデバイスによって送信されたダウンリンク制御情報を受信するように構成された受信ユニットと
を備える、装置。
【請求項２０】
各制御チャネルベアリングリソースユニットに含まれる前記少なくとも2つのREGは、周波数領域内で連続であることは、各制御チャネルベアリングリソースユニットに含まれる前記少なくとも2つのREGの前記REは、周波数領域内で連続であることを含む、請求項19に記載の装置。
【請求項２１】
前記ターゲットリソースが時間領域内の少なくとも1つの時間領域要素を備え、時間領域内の1つの制御チャネルベアリングリソースユニットが1つの時間領域要素に対応する、請求項19に記載の装置。
【請求項２２】
前記M個のリソースサブセットによって占有される周波数領域帯域幅が、前記ターゲットリソースの帯域幅以下である、請求項19から21のいずれか一項に記載の装置。
【請求項２３】
前記装置が、
マッピング関係を決定するように構成された処理ユニットであって、前記マッピング関係が、前記ダウンリンク制御情報を含む少なくとも1つのダウンリンク制御情報と、前記第1のリソースセットを含む少なくとも1つのリソースセットとの間の対応関係を示す、処理ユニット
をさらに備え、
前記決定ユニットが、
前記マッピング関係に従って、前記ダウンリンク制御情報に対応するリソースセットを前記第1のリソースセットとして決定する
ようにさらに構成される、
請求項19から21のいずれか一項に記載の装置。
【請求項２４】
前記N個の制御チャネルベアリングリソースユニットは、前記ダウンリンク制御情報を復調するように構成された基準信号を搬送する、請求項19から21のいずれか一項に記載の装置。
【請求項２５】
請求項1から6のいずれか一項に記載の方法をコンピュータに実行させるためのコンピュータプログラム。
【請求項２６】
請求項7から12のいずれか一項に記載の方法をコンピュータに実行させるためのコンピュータプログラム。
【発明の詳細な説明】
【技術分野】
【０００１】
本出願は、参照によりその全体が本明細書に組み込まれる、2017年2月10日に中国特許庁に出願され、「DOWNLINK CONTROL INFORMATION TRANSMISSION METHOD AND APPARATUS」と題する、中国特許出願第201710073164．0号の優先権を主張する。
【０００２】
本出願は、通信分野に関し、より詳細には、ダウンリンク制御情報送信方法および装置に関する。
【背景技術】
【０００３】
ワイヤレス通信では、ネットワークデバイスは、端末デバイスにダウンリンク制御情報（Downlink Control Information、DCI）を送信する必要がある。
【０００４】
従来技術では、ネットワークデバイスが端末デバイスにダウンリンク制御情報を送信するとき、ダウンリンク制御情報を搬送する時間周波数リソースは、周波数領域内で連続して分配される。すなわち、ダウンリンク制御情報を搬送するサブキャリアは連続している。
【０００５】
したがって、ネットワークデバイスが周波数領域内で連続して分配された時間周波数リソース上で端末デバイスにダウンリンク制御情報を送信するとき、ダウンリンク制御情報を搬送するサブキャリアが連続しているので、周波数ダイバーシティ利得を確保することができない。
【発明の概要】
【０００６】
本出願は、ダウンリンク制御情報送信の周波数ダイバーシティ利得を増加させるために、ダウンリンク制御情報送信方法および装置を提供する。
【課題を解決するための手段】
【０００７】
第1の態様によれば、ダウンリンク制御情報送信方法が提供される。方法は、ターゲットリソースをM個のリソースサブセットに分割するステップであって、M個のリソースサブセット内の少なくとも2つのリソースサブセットの少なくとも一部が周波数領域内で重複せず、各リソースサブセットが少なくとも1つの制御チャネルベアリングリソースユニットを含み、Mが整数であり、M≧2である、ステップと、M個のリソースサブセットに基づいて第1のリソースセットを決定するステップであって、第1のリソースセットがN個の制御チャネルベアリングリソースユニットを含み、N個の制御チャネルベアリングリソースユニットのうちの少なくとも2つが異なるリソースサブセットに属し、N個の制御チャネルベアリングリソースユニットのうちの少なくとも2つが周波数領域内で不連続であり、N≧2である、ステップと、第1のリソースセット上で端末デバイスに第1のダウンリンク制御情報を送信するステップとを含む。
【０００８】
場合によっては、M個のリソースサブセット内の任意の2つのリソースサブセットの少なくとも一部は、周波数領域内で重複しない。
【０００９】
場合によっては、N個の制御チャネルベアリングリソースユニットのうちの任意の2つは、異なるリソースサブセットに属する。
【００１０】
ターゲットリソースはM個のリソースサブセットに分割され、M個のリソースサブセットの少なくとも一部は周波数領域内で重複せず、M個のリソースサブセットの各々から1つの制御チャネルベアリングリソースユニットが選択されて、最終的にN個の制御チャネルベアリングリソースユニットが取得され、N個の制御チャネルベアリングリソースユニットは、周波数領域内で十分な間隔（すなわち、不連続）で互いに分離される。したがって、N個の制御チャネルベアリングリソースユニットを使用して第1のダウンリンク制御情報が端末デバイスに送信されると、周波数ダイバーシティ利得を確保することができる。
【００１１】
第1の態様を参照して、第1の態様の第1の実装形態では、方法は、マッピング関係を決定するステップであって、マッピング関係が、第1のダウンリンク制御情報を含む少なくとも1つのダウンリンク制御情報と、第1のリソースセットを含む少なくとも1つのリソースセットとの間の対応関係を示す、ステップをさらに含み、M個のリソースサブセットに基づいて第1のリソースセットを決定するステップは、マッピング関係に従って、第1のダウンリンク制御情報に対応するリソースセットを第1のリソースセットとして決定するステップを含む。
【００１２】
マッピング関係が決定され、第1のダウンリンク制御情報に対応するリソースセットが、マッピング関係に従って、第1のダウンリンク制御情報を搬送する第1のリソースセットとして決定され、その結果、ネットワークデバイスは、ダウンリンク制御情報を搬送するリソースをより迅速に決定することができる。
【００１３】
第1の態様および前述の実装形態を参照して、第1の態様の第2の実装形態では、ターゲットリソースは周波数領域内で複数の周波数領域要素に分割され、1つの制御チャネルベアリングリソースユニットは少なくとも2つの連続する周波数領域要素を含む。
【００１４】
ターゲットリソースは周波数領域内で少なくとも1つの周波数領域要素に分割され、N個の制御チャネルベアリングリソースユニットのうちの少なくとも1つは、少なくとも2つの連続する周波数領域要素を含むことが可能であり、その結果、ダウンリンク制御情報を受信する端末デバイスは、同じセル内の別の端末デバイスと基準信号を共有する代わりに、端末デバイス自体の基準信号を使用してダウンリンク制御情報を復調することができ、それにより、システムのスペクトル効率が改善される。
【００１５】
第1の態様および前述の実装形態を参照して、第1の態様の第3の実装形態では、ターゲットリソースは時間領域内で少なくとも1つの時間領域要素に分割され、1つの制御チャネルベアリングリソースユニットは少なくとも1つの時間領域要素の一部またはすべてを含む。
【００１６】
第1の態様および前述の実装形態を参照して、第1の態様の第4の実装形態では、M個のリソースサブセットによって占有される周波数領域帯域幅は、ターゲットリソースの帯域幅以下である。
【００１７】
M個のリソースサブセットによって占有される周波数領域帯域幅は、ターゲットリソースの帯域幅以下になることが可能であり、その結果、端末デバイスは、より狭い周波数領域帯域幅を使用してダウンリンク制御情報を受信することができ、それにより、端末デバイスの電力消費が削減される。
【００１８】
第2の態様によれば、ダウンリンク制御情報送信方法が提供される。方法は、M個のリソースサブセットに基づいて第1のリソースセットを決定するステップであって、第1のリソースセットがN個の制御チャネルベアリングリソースユニットを含み、Mが整数であり、M≧2であり、N個の制御チャネルベアリングリソースユニットのうちの少なくとも2つが異なるリソースサブセットに属し、N個の制御チャネルベアリングリソースユニットのうちの少なくとも2つが周波数領域内で不連続であり、N≧2である、ステップと、第1のリソースセット上でネットワークデバイスによって送信された第1のダウンリンク制御情報を受信するステップとを含む。
【００１９】
場合によっては、M個のリソースサブセットのうちの任意の2つの少なくとも一部は、周波数領域内で重複しない。
【００２０】
場合によっては、N個の制御チャネルベアリングリソースユニットのうちの任意の2つは、異なるリソースサブセットに属する。
【００２１】
ターゲットリソースはM個のリソースサブセットに分割され、M個のリソースサブセットの少なくとも一部は周波数領域内で重複せず、M個のリソースサブセットの各々から1つの制御チャネルベアリングリソースユニットが選択されて、最終的にN個の制御チャネルベアリングリソースユニットが取得され、N個の制御チャネルベアリングリソースユニットは、周波数領域内で十分な間隔（すなわち、不連続）で互いに分離される。したがって、N個の制御チャネルベアリングリソースユニットを使用して第1のダウンリンク制御情報が端末デバイスに送信されると、周波数ダイバーシティ利得を確保することができる。
【００２２】
第2の態様を参照して、第2の態様の第1の実装形態では、方法は、マッピング関係を決定するステップであって、マッピング関係が、第1のダウンリンク制御情報を含む少なくとも1つのダウンリンク制御情報と、第1のリソースセットを含む少なくとも1つのリソースセットとの間の対応関係を示す、ステップをさらに含み、M個のリソースサブセットに基づいて第1のリソースセットを決定するステップは、マッピング関係に従って、第1のダウンリンク制御情報に対応するリソースセットを第1のリソースセットとして決定するステップを含む。
【００２３】
マッピング関係が決定され、第1のダウンリンク制御情報に対応するリソースセットが、マッピング関係に従って、第1のダウンリンク制御情報を搬送する第1のリソースセットとして決定され、その結果、端末デバイスは、ダウンリンク制御情報を受信するためのリソースをより迅速に決定することができ、それにより、端末デバイスがダウンリンク制御情報を受信する確度が向上する。
【００２４】
第2の態様および前述の実装形態を参照して、第2の態様の第2の実装形態では、ターゲットリソースは周波数領域内で複数の周波数領域要素に分割され、1つの制御チャネルベアリングリソースユニットは少なくとも2つの連続する周波数領域要素を含む。
【００２５】
ターゲットリソースは周波数領域内で少なくとも1つの周波数領域要素に分割され、N個の制御チャネルベアリングリソースユニットのうちの少なくとも1つは、少なくとも2つの連続する周波数領域要素を含むことが可能であり、その結果、ダウンリンク制御情報を受信する端末デバイスは、同じセル内の別の端末デバイスと基準信号を共有する代わりに、端末デバイス自体の基準信号を使用してダウンリンク制御情報を復調することができ、それにより、システムのスペクトル効率が改善される。
【００２６】
第2の態様および前述の実装形態を参照して、第2の態様の第3の実装形態では、ターゲットリソースは時間領域内で少なくとも1つの時間領域要素に分割され、1つの制御チャネルベアリングリソースユニットは少なくとも1つの時間領域要素の一部またはすべてを含む。
【００２７】
第2の態様および前述の実装形態を参照して、第2の態様の第4の実装形態では、M個のリソースサブセットによって占有される周波数領域帯域幅は、ターゲットリソースの帯域幅以下である。
【００２８】
M個のリソースサブセットによって占有される周波数領域帯域幅は、ターゲットリソースの帯域幅以下になることが可能であり、その結果、端末デバイスは、より狭い周波数領域帯域幅を使用してダウンリンク制御情報を受信することができ、それにより、端末デバイスの電力消費が削減される。
【００２９】
第3の態様によれば、第1の態様および第1の態様の実装形態によるダウンリンク制御情報送信方法のステップを実行するように構成されたユニットを含む、ダウンリンク制御情報送信装置が提供される。
【００３０】
第4の態様によれば、第2の態様および第2の態様の実装形態によるダウンリンク制御情報送信方法のステップを実行するように構成されたユニットを含む、ダウンリンク制御情報送信装置が提供される。
【００３１】
第5の態様によれば、メモリおよびプロセッサを含む、ダウンリンク制御情報送信デバイスが提供される。メモリはコンピュータプログラムを記憶するように構成され、プロセッサはメモリ内のコンピュータプログラムを呼び出し実行するように構成され、その結果、端末デバイスは、第1の態様および第1の態様の実装形態による任意のダウンリンク制御情報送信方法を実行する。
【００３２】
第6の態様によれば、メモリおよびプロセッサを含む、ダウンリンク制御情報送信デバイスが提供される。メモリはコンピュータプログラムを記憶するように構成され、プロセッサはメモリ内のコンピュータプログラムを呼び出し実行するように構成され、その結果、ネットワークデバイスは、第2の態様および第2の態様の実装形態による任意のダウンリンク制御情報送信方法を実行する。
【００３３】
第7の態様によれば、コンピュータプログラム製品が提供され、コンピュータプログラム製品はコンピュータプログラムコードを含む。コンピュータプログラムコードが処理ユニットおよび送信ユニット、またはネットワークデバイスのプロセッサおよび送信機によって実行されると、端末デバイスは、第1の態様および第1の態様の実装形態による任意のダウンリンク制御情報送信方法を実行することが可能である。
【００３４】
第8の態様によれば、コンピュータプログラム製品が提供され、コンピュータプログラム製品はコンピュータプログラムコードを含む。コンピュータプログラムコードが受信ユニットおよび処理ユニット、または端末デバイスの受信機およびプロセッサによって実行されると、ネットワークデバイスは、第2の態様および第2の態様の実装形態による任意のダウンリンク制御情報送信方法を実行することが可能である。
【００３５】
第9の態様によれば、コンピュータ可読記憶媒体が提供される。コンピュータ可読記憶媒体はプログラムを記憶し、プログラムは、端末デバイスが第1の態様および第1の態様の実装形態による任意のダウンリンク制御情報送信方法を実行することを可能にする。
【００３６】
第10の態様によれば、コンピュータ可読記憶媒体が提供される。コンピュータ可読記憶媒体はプログラムを記憶し、プログラムは、ネットワークデバイスが第2の態様および第2の態様の実装形態による任意のダウンリンク制御情報送信方法を実行することを可能にする。
【図面の簡単な説明】
【００３７】
【図１】本出願による通信システムの概略アーキテクチャ図である。
【図２】本出願によるダウンリンク制御情報送信方法の概略相互作用図である。
【図３】本出願による制御チャネルベアリングリソースユニットのリソース構成の概略構造図である。
【図４】本出願によるリソースサブセット分配状況の概略図である。
【図５】本出願によるリソースサブセット分配状況の別の概略図である。
【図６】本出願によるリソースサブセット分配状況のさらに別の概略図である。
【図７】本出願による、ダウンリンク制御情報を搬送する制御チャネルベアリングリソースユニットの分配状況の概略図である。
【図８】本出願による、ダウンリンク制御情報を搬送する制御チャネルベアリングリソースユニットの分配状況の別の概略図である。
【図９】本出願による、ダウンリンク制御情報を搬送する制御チャネルベアリングリソースユニットの分配状況のさらに別の概略図である。
【図１０】本出願による、ターゲットリソースの時間領域リソース内のリソースサブセットの分配状況の概略図である。
【図１１】本出願によるダウンリンク制御情報送信装置の概略ブロック図である。
【図１２】本出願によるダウンリンク制御情報送信装置の概略ブロック図である。
【図１３】本出願によるダウンリンク制御情報送信装置の概略構造図である。
【図１４】本出願によるダウンリンク制御情報送信装置の概略構造図である。
【発明を実施するための形態】
【００３８】
以下で、添付図面を参照して本出願の技術的解決策を記載する。
【００３９】
本出願の実施形態の技術的解決策は、モバイル通信用グローバルシステム（Global System for Mobile communication、GSM）システム、符号分割多元接続（Code Division Multiple Access、CDMA）システム、広帯域符号分割多元接続（Wideband Code Division Multiple Access、WCDMA）システム、汎用パケット無線サービス（General Packet Radio Service、GPRS）、ロングタームエボリューション（Long Term Evolution、LTE）システム、LTE周波数分割複信（Frequency Division Duplex、FDD）システム、LTE時分割複信（Time Division Duplex、TDD）、ユニバーサルモバイルテレコミュニケーションシステム（Universal Mobile Telecommunication System、UMTS）、マイクロ波アクセス用世界的相互運用性（Worldwide Interoperability for Microwave Access、WiMAX）通信システム、将来の第5世代（5th Generation、5G）システム、または新無線（New Radio、NR）などの、様々な通信システムに適用されてもよい。
【００４０】
本出願の実施形態における端末デバイスは、ユーザ機器、アクセス端末、加入者ユニット、加入者局、移動局、モバイルコンソール、リモート局、リモート端末、モバイルデバイス、ユーザ端末、端末、ワイヤレス通信デバイス、ユーザエージェント、またはユーザ装置と呼ばれる場合もある。端末デバイスは、携帯電話、コードレス電話、セッション開始プロトコル（Session Initiation Protocol、SIP）電話、ワイヤレスローカルループ（Wireless Local Loop、WLL）局、携帯情報端末（Personal Digital Assistant、PDA）、ワイヤレス通信機能を有するハンドヘルドデバイス、コンピューティングデバイス、ワイヤレスモデムに接続された別の処理デバイス、車載デバイス、ウェアラブルデバイス、将来の5Gネットワークにおける端末デバイス、または将来の発展型公的地域モバイルネットワーク（Public Land Mobile Network、PLMN）における端末デバイスであってもよい。このことは、本出願の実施形態では限定されない。
【００４１】
本出願の実施形態におけるネットワークデバイスは、端末デバイスと通信するように構成されたデバイスであってもよい。ネットワークデバイスは、モバイル通信用グローバルシステム（Global System for Mobile communication、GSM）もしくは符号分割多元接続（Code Division Multiple Access、CDMA）におけるトランシーバ基地局（Base Transceiver Station、BTS）であってもよく、または、広帯域符号分割多元接続（Wideband Code Division Multiple Access、WCDMA）システムにおけるノードB（NodeB、NB）であってもよく、または、LTEシステムにおける発展型ノードB（Evolved NodeB、eNBもしくはeNodeB）であってもよく、または、クラウド無線アクセスネットワーク（Cloud Radio Access Network、CRAN）シナリオにおける無線コントローラであってもよい。あるいは、ネットワークデバイスは、リレーノード、アクセスポイント、車載デバイス、ウェアラブルデバイス、または将来の5Gネットワークにおけるネットワークデバイス、または将来の発展型PLMNネットワークにおけるネットワークデバイスであってもよい。このことは、本出願の実施形態では限定されない。
【００４２】
図1は、本発明による、ダウンリンク制御信号送信方法および装置に適用可能な通信システムの概略図である。図1に示されたように、通信システム100はネットワークデバイス102を含み、ネットワークデバイス102は、複数のアンテナ、たとえば、アンテナ104、106、108、110、112、および114を含んでもよい。加えて、ネットワークデバイス102は、送信機チェーンおよび受信機チェーンをさらに含んでもよい。送信機チェーンおよび受信機チェーンは、各々信号の送信および受信に関係する複数の構成要素（たとえば、プロセッサ、変調器、マルチプレクサ、エンコーダ、デマルチプレクサ、またはアンテナ）を含んでもよいことを当業者なら理解されよう。
【００４３】
ネットワークデバイス102は、複数の端末デバイス（たとえば、端末デバイス116および端末デバイス122）と通信することができる。しかしながら、ネットワークデバイス102は、端末デバイス116または122と同様の任意の数の端末デバイスと通信できることを理解されたい。端末デバイス116および122は、各々たとえば、携帯電話、スマートフォン、ポータブルコンピュータ、ハンドヘルド通信デバイス、ハンドヘルドコンピューティングデバイス、衛星無線装置、全地球測位システム、PDA、および／または、ワイヤレス通信システム100上の通信に使用される任意の他の適切なデバイスであってもよい。
【００４４】
図1に示されたように、端末デバイス116は、アンテナ112および114と通信し、アンテナ112および114は、順方向リンク118を介して端末デバイス116に情報を送信し、逆方向リンク120を介して端末デバイス116から情報を受信する。加えて、端末デバイス122は、アンテナ104および106と通信し、アンテナ104および106は、順方向リンク124を介して端末デバイス122に情報を送信し、逆方向リンク126を介して端末デバイス122から情報を受信する。
【００４５】
たとえば、周波数分割複信（Frequency Division Duplex、FDD）システムでは、順方向リンク118は、逆方向リンク120によって使用される周波数帯域とは異なる周波数帯域を使用することができ、順方向リンク124は、逆方向リンク126によって使用される周波数帯域とは異なる周波数帯域を使用することができる。
【００４６】
別の例を挙げると、時分割複信（Time Division Duplex、TDD）システムおよび全二重（Full Duplex）システムでは、順方向リンク118および逆方向リンク120は同じ周波数帯域を共有することができ、順方向リンク124および逆方向リンク126は同じ周波数帯域を共有することができる。
【００４７】
各アンテナ（もしくは複数のアンテナから構成されるアンテナグループ）および／または通信用に設計されたエリアは、ネットワークデバイス102のセクタと呼ばれる。たとえば、アンテナグループは、ネットワークデバイス102のカバレージ内のセクタにおいて端末デバイスと通信するように設計されてもよい。ネットワークデバイス102が、順方向リンク118および124を介して、それぞれ、端末デバイス116および122と通信するとき、ネットワークデバイス102の送信アンテナは、ビームフォーミングを使用して順方向リンク118および124の信号対ノイズ比を増大させることができる。加えて、ネットワークデバイスが単一のアンテナを使用してすべての端末デバイスに信号を送る方式と比較して、ネットワークデバイス102が、ビームフォーミングを使用して、関連するカバレージ内でランダムに分散された端末デバイス116および122に信号を送るとき、隣接セル内のモバイルデバイスはあまり干渉されない。
【００４８】
与えられた時間内で、ネットワークデバイス102、端末デバイス116、または端末デバイス122は、ワイヤレス通信送信装置および／またはワイヤレス通信受信装置であってもよい。データを送信するとき、ワイヤレス通信送信装置は、送信用にデータを符号化することができる。具体的には、ワイヤレス通信送信装置は、チャネルを介してワイヤレス通信受信装置に送信される必要がある決定の数のデータビットを取得（たとえば、生成、別の通信装置から受信、またはメモリに記憶）することができる。データビットは、データのトランスポートブロック（または複数のトランスポートブロック）に含まれてもよく、トランスポートブロックは、複数のコードブックを作成するためにセグメント化されてもよい。
【００４９】
加えて、通信システム100は、PLMNネットワーク、D2Dネットワーク、M2Mネットワーク、または別のネットワークであってもよい。図1は例示的な簡略化された概略図にすぎず、ネットワークは、図1に示されていない別のネットワークデバイスをさらに含んでもよい。
【００５０】
本出願では、送信デバイスは、ネットワークデバイス102であってもよいし、端末デバイス（たとえば、端末デバイス116または端末デバイス122）であってもよいことに留意されたい。それに対応して、受信デバイスは、端末デバイス（たとえば、端末デバイス116または端末デバイス122）であってもよいし、ネットワークデバイス102であってもよい。このことは、本出願では特に限定されない。
【００５１】
図2は、本出願によるダウンリンク制御情報送信方法の概略フローチャートを示す。図2の端末デバイスは、図1の端末デバイス116または端末デバイス122であってもよく、ネットワークデバイスは、図1のネットワークデバイス102であってもよい。確かに、実際のシステムでは、ネットワークデバイスの数および端末デバイスの数は、この実施形態または別の実施形態の例に限定されなくてもよい。詳細は以下で再び記載されない。図2に示されたように、方法は以下のステップを含んでもよい。
【００５２】
S210．ターゲットリソースをM個のリソースサブセットに分割し、M個のリソースサブセット内の少なくとも2つのリソースサブセットの少なくとも一部は周波数領域内で重複せず、各リソースサブセットは少なくとも1つの制御チャネルベアリングリソースユニットを含み、Mは整数であり、M≧2である。
【００５３】
S220．M個のリソースサブセットに基づいて第1のリソースセットを決定し、第1のリソースセットはN個の制御チャネルベアリングリソースユニットを含み、N個の制御チャネルベアリングリソースユニットのうちの少なくとも2つは異なるリソースサブセットに属し、N個の制御チャネルベアリングリソースユニットのうちの少なくとも2つは周波数領域内で不連続であり、N≧2である。
【００５４】
場合によっては、ターゲットリソースは周波数領域内で複数の周波数領域要素に分割され、1つの制御チャネルベアリングリソースユニットは少なくとも2つの連続する周波数領域要素を含む。
【００５５】
具体的には、ネットワークデバイスはターゲットリソースをM個のリソースサブセットに分割する。ターゲットリソースは、周波数領域内の連続するリソースであってもよく、M個のリソースサブセットの各々は、少なくとも1つの制御チャネルベアリングリソースユニットを含む。各制御チャネルベアリングリソースユニットはn個の周波数領域要素を含み、各周波数領域要素は、周波数領域内の1つのリソース要素（Resource Element、RE）であってもよく、周波数領域内の1つのリソース要素グループ（Resource Element Group、REG）であってもよく、1つのリソース要素グループは複数のリソース要素REを含み、または各周波数領域要素は周波数領域内のいくつかの連続する制御チャネル要素（Control Channel Element、CCE）であってもよく、1つの制御チャネル要素は複数のリソース要素グループ（REG）を含む。このことは本出願では限定されない。
【００５６】
図3は、1つの制御チャネルベアリングリソースユニットが周波数領域内で5つの連続するリソース要素グループを含み、各リソース要素グループが4つまたは6つのリソース要素を含むことを示す。図3から、6つのリソース要素を含むリソースグループでは、リソース要素のうちの2つが基準信号を搬送するために使用されることが分かる。
【００５７】
端末デバイスにダウンリンク制御情報を送信するとき、ネットワークデバイスは、M個のリソースサブセット内の制御チャネルベアリングリソースユニットを決定して、最終的にリソースセットを形成する。第1のダウンリンク制御情報を搬送するリソースセットは第1のリソースセットであり、第1のリソースセットはN個の制御チャネルベアリングリソースユニットを含み、N≧2である。すなわち、第1のリソースセットは、少なくとも2つの制御チャネルベアリングリソースユニットを含む。N個の制御チャネルベアリングリソースユニットのうちの少なくとも2つは、異なるリソースサブセットに属する。すなわち、M個のリソースサブセットのうちの1つは、N個の制御チャネルベアリングリソースユニットのうちの1つを含み、最終的に、ネットワークデバイスは、N個の制御チャネルベアリングリソースユニットを使用して端末デバイスに第1のダウンリンク制御情報を送信する。
【００５８】
たとえば、ネットワークデバイスは、ターゲットリソースを8つのリソースサブセットに分割する。端末デバイスにダウンリンク制御情報を送信するとき、ネットワークデバイスは、8つのリソースサブセットの各々から1つの制御チャネルベアリングリソースユニットを決定することができる。すなわち、ネットワークデバイスは、最終的に、8つの制御チャネルベアリングリソースユニットを使用することにより、端末デバイスに送信されるダウンリンク制御情報を搬送する。
【００５９】
別の例を挙げると、ネットワークデバイスは、8つのリソースサブセットのうちの6つから1つの制御チャネルベアリングリソースユニットを決定することができる。すなわち、ネットワークデバイスは、最終的に、6つの制御チャネルベアリングリソースユニットを使用することにより、端末デバイスに送信されるダウンリンク制御情報を搬送する。
【００６０】
さらに別の例を挙げると、ネットワークデバイスはターゲットリソースを2つのリソースサブセットに分割する。端末デバイスにダウンリンク制御情報を送信するとき、ネットワークデバイスは、2つのリソースサブセットの各々から4つの制御チャネルベアリングリソースユニットを決定することができる。すなわち、ネットワークデバイスは、最終的に、8つの制御チャネルベアリングリソースユニットを使用することにより、端末デバイスに送信されるダウンリンク制御情報を搬送する。
【００６１】
包括的に、ネットワークデバイスは、M個のリソースサブセットの各々から1つの制御チャネルベアリングリソースユニットを決定することができるか、またはM個のリソースサブセットのうちのいくつかからM個より少ない制御チャネルベアリングリソースユニットの数を決定することができるか、またはM個のリソースサブセットのうちのいくつかからM個より多い制御チャネルベアリングリソースユニットの数を決定することができる。このことは本出願では限定されない。
【００６２】
M個のリソースサブセット内の少なくとも2つのリソースサブセットの少なくとも一部は、周波数領域内で重複しない。たとえば、図4に示されたように、周波数領域内のM個のリソースサブセットの分配状況を記述する一例として、2つのリソースサブセットが含まれることが使用される。リソースサブセット1とリソースサブセット2との間に間隔が存在する、すなわち、リソースサブセット1およびリソースサブセット2が周波数領域内で不連続であることが分かる。
【００６３】
別の例を挙げると、図5に示されたように、リソースサブセット1とリソースサブセット2は連続していてもよいが、それらの間に重複領域は存在しない。さらに別の例を挙げると、図6に示されたように、リソースサブセット1とリソースサブセット2との間に部分的に重複する領域が存在してもよいが、リソースサブセット1およびリソースサブセット2は互いに完全に重複することはできない。
【００６４】
本出願は、たとえば、前述のいくつかのリソースサブセットの分配方式を使用するだけであるが、本出願はそれに限定されないことを理解されたい。あるいは、リソースサブセットは別の方式で分配されてもよい。
【００６５】
ダウンリンク制御情報を搬送するために使用されるN個の制御チャネルベアリングリソースユニットのうちの少なくとも2つは、周波数領域内で不連続である。すなわち、ダウンリンク制御情報を搬送するN個の制御チャネルベアリングリソースユニットがM個のリソースサブセット内で決定されると、N個の制御チャネルベアリングリソースユニットのうちの少なくとも2つが周波数領域内で不連続であることが保証される必要がある。
【００６６】
たとえば、図7に示されたように、リソースサブセット1およびリソースサブセット2は周波数領域内で不連続であることが分かる。すなわち、リソースサブセット1内の少なくとも1つの制御チャネルベアリングリソースユニット、およびリソースサブセット2内の少なくとも1つの制御チャネルベアリングリソースユニットは、周波数領域内で不連続である。次いで、リソースサブセット1およびリソースサブセット2では、リソースサブセット1内の少なくとも1つの制御チャネルベアリングリソースユニット、およびリソースサブセット2内の少なくとも1つの制御チャネルベアリングリソースユニットは、ダウンリンク制御情報を搬送するリソースとして別々に決定されてもよく、それにより、ダウンリンク制御情報を搬送する制御チャネルベアリングリソースユニットが、周波数領域内で不連続であることが保証される。
【００６７】
ターゲットリソースは周波数領域内で少なくとも1つの周波数領域要素に分割され、各制御チャネルベアリングリソースユニットは少なくとも2つの連続する周波数領域要素を含む。したがって、ダウンリンク制御情報を受信する端末デバイスは、同じセル内の別の端末デバイスと基準信号を共有する代わりに、端末デバイス自体の基準信号を使用してダウンリンク制御情報を復調することができ、それにより、システムのスペクトル効率が改善される。各周波数領域要素は、周波数領域内の1つのリソース要素（Resource Element、RE）であってもよく、周波数領域内の1つのリソース要素グループ（Resource Element Group、REG）であってもよく、周波数領域内で連続するいくつかの制御チャネル要素（Control Channel Element、CCE）であってもよい。このことは本出願では限定されない。
【００６８】
別の例を挙げると、図8に示されたように、リソースサブセット1とリソースサブセット2は周波数領域内で連続しているが、それらの間に重複領域は存在しないことが分かる。すなわち、リソースサブセット1とリソースサブセット2との間の接続部分に、周波数領域内の制御チャネルベアリングリソースユニットが存在する。この場合、ネットワークデバイスは、リソースサブセット1内の任意の制御チャネルベアリングリソースユニットを選択し、次いで、リソースサブセット2内の1つの制御チャネルベアリングリソースユニットを選択することができ、リソースサブセット2内で選択された制御チャネルベアリングリソースユニット、およびリソースサブセット1内で選択された制御チャネルベアリングリソースユニットは、周波数領域内で不連続である。リソースサブセット2内で選択された制御チャネルベアリングリソースユニット、およびリソースサブセット1内で選択された制御チャネルベアリングリソースユニットは、両方ともダウンリンク制御情報を搬送するリソースとして決定され、それにより、ダウンリンク制御情報を搬送する制御チャネルベアリングリソースユニットが、周波数領域内で不連続であることが保証される。
【００６９】
さらに別の例を挙げると、図9に示されたように、リソースサブセット1とリソースサブセット2との間の周波数領域内に重複領域が存在するが、リソースサブセット1およびリソースサブセット2は互いに完全に重複しないことが分かる。すなわち、リソースサブセット1とリソースサブセット2との間の重複領域内に、周波数領域内の制御チャネルベアリングリソースユニットが存在する。この場合、ネットワークデバイスは、リソースサブセット1内の非重複領域およびリソースサブセット2内の非重複領域内で、リソースサブセット1内の非重複領域内の少なくとも1つの制御チャネルベアリングリソースユニット、およびリソースサブセット2内の非重複領域内の少なくとも1つの制御チャネルベアリングリソースユニットを、ダウンリンク制御情報を搬送するリソースとして決定することができ、それにより、ダウンリンク制御情報を搬送する制御チャネルベアリングリソースユニットが、周波数領域内で不連続であることが保証される。
【００７０】
本出願は、1つの周波数領域要素が前述のいくつかのリソースのうちの1つである一例を使用して1つのタイプの周波数領域要素だけを記載するが、本出願はそれに限定されず、周波数領域要素は別のタイプのリソースであってもよいことを理解されたい。
【００７１】
場合によっては、マッピング関係が決定される。マッピング関係は、第1のダウンリンク制御情報を含む少なくとも1つのダウンリンク制御情報と、第1のリソースセットを含む少なくとも1つのリソースセットとの間の対応関係を示す。マッピング関係に従って、第1のダウンリンク制御情報に対応するリソースセットが、第1のダウンリンク制御情報を搬送する第1のリソースセットとして決定される。
【００７２】
具体的には、ネットワークデバイスがマッピング関係を決定することができ、マッピング関係は、プロトコル仕様に基づいて決定されてもよいし、システムを使用してネットワークデバイス用に事前構成されてもよい。マッピング関係は、第1のダウンリンク制御情報を含む少なくとも1つのダウンリンク制御情報と、第1のリソースセットを含む少なくとも1つのリソースセットとの間の対応関係を示す。端末デバイスに第1のダウンリンク制御情報を送信するとき、ネットワークデバイスは、マッピング関係に従って、マッピング関係において第1のダウンリンク制御情報に対応するリソースセットを、第1のダウンリンク制御情報を搬送する第1のリソースセットとして決定することができる。
【００７３】
たとえば、マッピング関係はマッピング関係テーブルであってもよく、テーブル検索を介して、ネットワークデバイスは、第1のダウンリンク制御情報に対応する第1のリソースセットを決定することができる。
【００７４】
別の例を挙げると、マッピング関係は代替としてマッピング式であってもよく、ネットワークデバイスは、マッピング式に基づいて計算を実行して、第1のダウンリンク制御情報に対応する第1のリソースセットを決定することができる。
【００７５】
本出願は、リソースマッピング関係を使用することによる2つの例を使用して、リソースセットを決定する方式を記載するだけであるが、本出願はそれに限定されないことを理解されたい。あるいは、リソースセットは別の方式で決定されてもよく、このことは本出願では限定されない。
【００７６】
S230．第1のリソースセット上で端末デバイスに第1のダウンリンク制御情報を送信する。
【００７７】
具体的には、第1のダウンリンク制御情報を搬送するN個の制御チャネルベアリングリソースユニットを決定した後、ネットワークデバイスは、N個の制御チャネルベアリングリソースユニットを使用して端末デバイスにダウンリンク制御情報を送信する、すなわち、第1のリソースセットを使用して端末デバイスにダウンリンク制御情報を送信する。具体的には、N個の制御チャネルベアリングリソースユニットの各々は、送信されるべきダウンリンク制御情報の一部のみを搬送し、ネットワークデバイスは、最終的に、N個の制御チャネルベアリングリソースユニットを使用して端末デバイスにダウンリンク制御情報を送信する。
【００７８】
場合によっては、ターゲットリソースは時間領域内で少なくとも1つの時間領域要素に分割され、1つの制御チャネルベアリングリソースユニットは少なくとも1つの時間領域要素の一部またはすべてを含む。
【００７９】
具体的には、ネットワークデバイスはターゲットリソースを少なくとも1つの時間領域要素に分割し、1つの制御チャネルベアリングリソースユニットは、ターゲットリソースのすべての時間領域要素を含んでもよいし、ターゲットリソースの一部の時間領域要素のみを含んでもよい。たとえば、図10に示されたように、リソースサブセット1およびリソースサブセット2は、ターゲットリソースのいくつかの時間領域要素のみを含む。図10から、リソースサブセット1はターゲットリソースの第1の時間領域要素のみを含み、リソースサブセット2はターゲットリソースの第2の時間領域要素のみを含むことが分かる。
【００８０】
本出願は、一例を使用してターゲットリソースの時間領域要素内の制御チャネルベアリングリソースユニットの分配状況を記載するだけであるが、本出願はそれに限定されないことを理解されたい。
【００８１】
場合によっては、M個のリソースサブセットによって占有される周波数領域帯域幅は、ターゲットリソースの帯域幅以下である。
【００８２】
具体的には、ネットワークデバイスはターゲットリソースをM個のリソースサブセットに分割し、M個のリソースサブセットによって占有される周波数領域帯域幅は、ターゲットリソースの帯域幅以下である。したがって、端末デバイスは、より狭い周波数領域帯域幅を使用してダウンリンク制御情報を受信し、それにより、端末デバイスの電力消費が削減される。
【００８３】
S240．第1のリソースセット上で、ネットワークデバイスによって送信された第1のダウンリンク制御情報を受信する。
【００８４】
場合によっては、第1のリソースセットはM個のリソースサブセット内で決定され、第1のリソースセットはN個の制御チャネルベアリングリソースユニットを含む。N個の制御チャネルベアリングリソースユニットのうちの少なくとも2つは異なるリソースサブセットに属し、N個の制御チャネルベアリングリソースユニットのうちの少なくとも2つは周波数領域内で不連続であり、N≧2である。
【００８５】
場合によっては、マッピング関係が決定される。マッピング関係は、第1のダウンリンク制御情報を含む少なくとも1つのダウンリンク制御情報と、第1のリソースセットを含む少なくとも1つのリソースセットとの間の対応関係を示す。M個のリソースサブセット内で第1のリソースセットを決定することは、マッピング関係に従って、第1のダウンリンク制御情報に対応するリソースセットを第1のリソースセットとして決定することを含む。
【００８６】
具体的には、端末デバイスは、第1のダウンリンク制御情報を搬送する第1のリソースセットを最初に決定する。端末デバイスはマッピング関係を決定することができ、マッピング関係はプロトコル仕様に基づいて決定されてもよいし、システムを使用して端末デバイス用に事前構成されてもよいし、ネットワークデバイスによって端末デバイスに送信されてもよい。このことは本出願では限定されない。
【００８７】
マッピング関係は、第1のダウンリンク制御情報を含む少なくとも1つのダウンリンク制御情報と、第1のリソースセットを含む少なくとも1つのリソースセットとの間の対応関係を示す。ネットワークデバイスによって送信された第1のダウンリンク制御情報を受信すると、端末デバイスは、マッピング関係に従って、マッピング関係において第1のダウンリンク制御情報に対応するリソースセットを、第1のダウンリンク制御を搬送する第1のリソースセットとして決定することでき、第1のリソースセットを使用することにより、ネットワークデバイスによって送信された第1のダウンリンク制御情報を受信することができる。
【００８８】
たとえば、マッピング関係はマッピング関係テーブルであってもよく、テーブル検索を介して、ネットワークデバイスは、第1のダウンリンク制御情報に対応する第1のリソースセットを決定することができる。
【００８９】
別の例を挙げると、マッピング関係は代替としてマッピング式であってもよく、ネットワークデバイスは、マッピング式に基づいて計算を実行して、第1のダウンリンク制御情報に対応する第1のリソースセットを決定することができる。
【００９０】
本出願は、リソースマッピング関係を使用することによる2つの例を使用して、リソースセットを決定する方式を記載するだけであるが、本出願はそれに限定されないことを理解されたい。あるいは、リソースセットは別の方式で決定されてもよく、このことは本出願では限定されない。
【００９１】
したがって、本出願のアップリンク制御情報送信方法では、ターゲットリソースはM個のリソースサブセットに分割され、周波数領域内で不連続なN個の制御チャネルベアリングリソースユニットは、M個のリソースサブセットを使用して決定され、その結果、ダウンリンク制御情報は、N個の不連続な制御チャネルベアリングリソースユニット上で送信され、それにより、周波数ダイバーシティ利得が確保される。
【００９２】
図11は、本出願によるダウンリンク制御情報送信装置300の概略ブロック図である。図11に示されたように、装置300は処理ユニット310および送信ユニット320を含む。
【００９３】
処理ユニット310は、ターゲットリソースをM個のリソースサブセットに分割するように構成され、M個のリソースサブセット内の少なくとも2つのリソースサブセットの少なくとも一部は周波数領域内で重複せず、各リソースサブセットは少なくとも1つの制御チャネルベアリングリソースユニットを含み、Mは整数であり、M≧2である。
【００９４】
処理ユニット310は、M個のリソースサブセットに基づいて第1のリソースセットを決定するようにさらに構成される。第1のリソースセットはN個の制御チャネルベアリングリソースユニットを含み、N個の制御チャネルベアリングリソースユニットのうちの少なくとも2つは異なるリソースサブセットに属し、N個の制御チャネルベアリングリソースユニットのうちの少なくとも2つは周波数領域内で不連続であり、N≧2である。
【００９５】
送信ユニット320は、第1のリソースセット上で端末デバイスに第1のダウンリンク制御情報を送信するように構成される。
【００９６】
場合によっては、処理ユニット310は、
マッピング関係を決定し、マッピング関係は、第1のダウンリンク制御情報を含む少なくとも1つのダウンリンク制御情報と、第1のリソースセットを含む少なくとも1つのリソースセットとの間の対応関係を示す、
ようにさらに構成され、
処理ユニット310は、
マッピング関係に従って、第1のダウンリンク制御情報に対応するリソースセットを第1のリソースセットとして決定する
ようにさらに構成される。
【００９７】
場合によっては、ターゲットリソースは周波数領域内で複数の周波数領域要素に分割され、1つの制御チャネルベアリングリソースユニットは少なくとも2つの連続する周波数領域要素を含む。
【００９８】
場合によっては、ターゲットリソースは時間領域内で少なくとも1つの時間領域要素に分割され、1つの制御チャネルベアリングリソースユニットは少なくとも1つの時間領域要素の一部またはすべてを含む。
【００９９】
場合によっては、M個のリソースサブセットによって占有される周波数領域帯域幅は、ターゲットリソースの帯域幅以下である。
【０１００】
本出願によるダウンリンク制御情報送信装置300は、本出願の方法におけるネットワークデバイスに対応してもよく、ダウンリンク制御情報送信装置300の各ユニットおよびモジュールならびに前述の別の動作および／または機能は、ネットワークデバイスによって実行される方法200の対応する手順を個別に実施するように意図されていることを理解されたい。簡潔にするために、本明細書では詳細は記載されない。
【０１０１】
したがって、本出願のアップリンク制御情報送信装置は、ターゲットリソースをM個のリソースサブセットに分割し、N個の不連続な制御チャネルベアリングリソースユニット上でダウンリンク制御情報を送信するために、M個のリソースサブセットを使用して周波数領域内で不連続なN個の制御チャネルベアリングリソースユニットを決定し、それにより、周波数ダイバーシティ利得が確保される。
【０１０２】
図12は、本出願によるダウンリンク制御情報送信装置400の概略ブロック図である。図12に示されたように、装置400は処理ユニット410および受信ユニット420を含む。
【０１０３】
処理ユニット410は、M個のリソースサブセットに基づいて第1のリソースセットを決定するように構成される。第1のリソースセットはN個の制御チャネルベアリングリソースユニットを含み、Mは整数であり、M≧2である。N個の制御チャネルベアリングリソースユニットのうちの少なくとも2つは異なるリソースサブセットに属し、N個の制御チャネルベアリングリソースユニットのうちの少なくとも2つは周波数領域内で不連続であり、N≧2である。
【０１０４】
受信ユニット420は、第1のリソースセット上で、ネットワークデバイスによって送信された第1のダウンリンク制御情報を受信するように構成される。
【０１０５】
場合によっては、処理ユニット410は、
マッピング関係を決定し、マッピング関係は、第1のダウンリンク制御情報を含む少なくとも1つのダウンリンク制御情報と、第1のリソースセットを含む少なくとも1つのリソースセットとの間の対応関係を示す、
ようにさらに構成され、
処理ユニット410は、マッピング関係に従って、第1のダウンリンク制御情報に対応するリソースセットを第1のリソースセットとして決定するようにさらに構成される。
【０１０６】
場合によっては、ターゲットリソースは周波数領域内で複数の周波数領域要素に分割され、1つの制御チャネルベアリングリソースユニットは少なくとも2つの連続する周波数領域要素を含む。
【０１０７】
場合によっては、ターゲットリソースは時間領域内で少なくとも1つの時間領域要素に分割され、1つの制御チャネルベアリングリソースユニットは少なくとも1つの時間領域要素の一部またはすべてを含む。
【０１０８】
場合によっては、M個のリソースサブセットによって占有される周波数領域帯域幅は、ターゲットリソースの帯域幅以下である。
【０１０９】
本出願によるダウンリンク制御情報送信装置400は、本出願の方法における端末デバイスに対応してもよく、ダウンリンク制御情報送信装置400の各ユニットおよびモジュールならびに前述の別の動作および／または機能は、端末デバイスによって実行される方法200の対応する手順を個別に実施するように意図されていることを理解されたい。簡潔にするために、本明細書では詳細は記載されない。
【０１１０】
したがって、本出願のアップリンク制御情報送信装置は、ターゲットリソースをM個のリソースサブセットに分割し、N個の不連続な制御チャネルベアリングリソースユニット上でダウンリンク制御情報を送信するために、M個のリソースサブセットを使用して周波数領域内で不連続なN個の制御チャネルベアリングリソースユニットを決定し、それにより、周波数ダイバーシティ利得が確保される。
【０１１１】
図13は、本出願によるダウンリンク制御情報送信装置500の概略構造図である。装置500は、
送信機510と、
プロセッサ520と、
メモリ530と
を含む。
【０１１２】
メモリ530は命令を記憶するように構成され、プロセッサ520は、送信機510を制御して信号を送信するために、メモリ530に記憶された命令を実行するように構成される。
【０１１３】
プロセッサ520は、ターゲットリソースをM個のリソースサブセットに分割するように構成され、M個のリソースサブセット内の少なくとも2つのリソースサブセットの少なくとも一部は周波数領域内で重複せず、各リソースサブセットは少なくとも1つの制御チャネルベアリングリソースユニットを含み、Mは整数であり、M≧2である。
【０１１４】
プロセッサ520は、M個のリソースサブセットに基づいて第1のリソースセットを決定するようにさらに構成され、第1のリソースセットはN個の制御チャネルベアリングリソースユニットを含み、N個の制御チャネルベアリングリソースユニットのうちの少なくとも2つは異なるリソースサブセットに属し、N個の制御チャネルベアリングリソースユニットのうちの少なくとも2つは周波数領域内で不連続であり、N≧2である。
【０１１５】
送信機510は、第1のリソースセット上で端末デバイスに第1のダウンリンク制御情報を送信するように構成される。
【０１１６】
場合によっては、プロセッサ520は、
マッピング関係を決定し、マッピング関係は、第1のダウンリンク制御情報を含む少なくとも1つのダウンリンク制御情報と、第1のリソースセットを含む少なくとも1つのリソースセットとの間の対応関係を示す、
ようにさらに構成され、
プロセッサ520は、
マッピング関係に従って、第1のダウンリンク制御情報に対応するリソースセットを第1のリソースセットとして決定する
ようにさらに構成される。
【０１１７】
場合によっては、ターゲットリソースは周波数領域内で複数の周波数領域要素に分割され、1つの制御チャネルベアリングリソースユニットは少なくとも2つの連続する周波数領域要素を含む。
【０１１８】
場合によっては、ターゲットリソースは時間領域内で少なくとも1つの時間領域要素に分割され、1つの制御チャネルベアリングリソースユニットは少なくとも1つの時間領域要素の一部またはすべてを含む。
【０１１９】
場合によっては、M個のリソースサブセットによって占有される周波数領域帯域幅は、ターゲットリソースの帯域幅以下である。
【０１２０】
本出願では、プロセッサ520は中央処理装置（Central Processing Unit、CPU）であってもよく、またはプロセッサ520は、別の汎用プロセッサ、デジタル信号プロセッサ（DSP）、特定用途向け集積回路（ASIC）、フィールドプログラマブルゲートアレイ（FPGA）もしくは別のプログラマブル論理デバイス、個別ゲートもしくはトランジスタ論理デバイス、個別ハードウェア構成要素などであってもよいことを理解されたい。汎用プロセッサはマクロプロセッサであってもよく、またはプロセッサは任意の従来のプロセッサなどであってもよい。
【０１２１】
メモリ530は、読取り専用メモリおよびランダムアクセスメモリを含み、プロセッサ520に命令およびデータを供給することができる。メモリ530の一部は、不揮発性ランダムアクセスメモリをさらに含んでもよい。たとえば、メモリ530は、デバイスタイプについての情報をさらに記憶することができる。
【０１２２】
一実装プロセスでは、前述の方法におけるステップは、プロセッサ520内のハードウェア集積論理回路を使用することにより、またはソフトウェアの形態の命令を使用することによって実装することができる。本出願を参照して開示された方法のステップは、ハードウェアプロセッサによって直接実装されてもよく、またはハードウェアとプロセッサ内のソフトウェアモジュールの組合せによって実装されてもよい。ソフトウェアモジュールは、ランダムアクセスメモリ、フラッシュメモリ、読取り専用メモリ、プログラマブル読取り専用メモリ、電気的消去可能プログラマブルメモリ、またはレジスタなどの、当技術分野の成熟記憶媒体内に位置してもよい。記憶媒体はメモリ530内に位置し、プロセッサ520はメモリ530内の情報を読み取り、プロセッサのハードウェアと組み合わせて前述の方法におけるステップを完了する。繰返しを避けるために、詳細は本明細書では再び記載されない。
【０１２３】
本出願によるダウンリンク制御情報送信装置500は、本出願の方法におけるネットワークデバイスに対応してもよく、ダウンリンク制御情報送信装置500の各ユニットおよびモジュールならびに前述の別の動作および／または機能は、ネットワークデバイスによって実行される方法200の対応する手順を個別に実施するように意図されていることを理解されたい。簡潔にするために、本明細書では詳細は記載されない。
【０１２４】
したがって、本出願のアップリンク制御情報送信装置は、ターゲットリソースをM個のリソースサブセットに分割し、N個の不連続な制御チャネルベアリングリソースユニット上でダウンリンク制御情報を送信するために、M個のリソースサブセットを使用して周波数領域内で不連続なN個の制御チャネルベアリングリソースユニットを決定し、それにより、周波数ダイバーシティ利得が確保される。
【０１２５】
図14は、本出願によるダウンリンク制御情報送信装置600の概略構造図である。装置600は、
受信機610と、
プロセッサ620と、
メモリ630と
を含む。
【０１２６】
メモリ630は命令を記憶するように構成され、プロセッサ620は、受信機610を制御して信号を受信するために、メモリ630に記憶された命令を実行するように構成される。
【０１２７】
プロセッサ620は、M個のリソースサブセットに基づいて第1のリソースセットを決定するように構成される。第1のリソースセットはN個の制御チャネルベアリングリソースユニットを含み、Mは整数であり、M≧2である。N個の制御チャネルベアリングリソースユニットのうちの少なくとも2つは異なるリソースサブセットに属し、N個の制御チャネルベアリングリソースユニットのうちの少なくとも2つは周波数領域内で不連続であり、N≧2である。
【０１２８】
受信機610は、第1のリソースセット上で、ネットワークデバイスによって送信された第1のダウンリンク制御情報を受信するように構成される。
【０１２９】
場合によっては、プロセッサ620は、マッピング関係を決定し、マッピング関係は、第1のダウンリンク制御情報を含む少なくとも1つのダウンリンク制御情報と、第1のリソースセットを含む少なくとも1つのリソースセットとの間の対応関係を示す、ようにさらに構成され、
プロセッサ620は、マッピング関係に従って、第1のダウンリンク制御情報に対応するリソースセットを第1のリソースセットとして決定するようにさらに構成される。
【０１３０】
場合によっては、ターゲットリソースは周波数領域内で複数の周波数領域要素に分割され、1つの制御チャネルベアリングリソースユニットは少なくとも2つの連続する周波数領域要素を含む。
【０１３１】
場合によっては、ターゲットリソースは時間領域内で少なくとも1つの時間領域要素に分割され、1つの制御チャネルベアリングリソースユニットは少なくとも1つの時間領域要素の一部またはすべてを含む。
【０１３２】
場合によっては、M個のリソースサブセットによって占有される周波数領域帯域幅は、ターゲットリソースの帯域幅以下である。
【０１３３】
本出願では、プロセッサ620は中央処理装置（Central Processing Unit、CPU）であってもよく、またはプロセッサ620は、別の汎用プロセッサ、デジタル信号プロセッサ（DSP）、特定用途向け集積回路（ASIC）、フィールドプログラマブルゲートアレイ（FPGA）もしくは別のプログラマブル論理デバイス、個別ゲートもしくはトランジスタ論理デバイス、個別ハードウェア構成要素などであってもよいことを理解されたい。汎用プロセッサはマクロプロセッサであってもよく、またはプロセッサは任意の従来のプロセッサなどであってもよい。
【０１３４】
メモリ630は、読取り専用メモリおよびランダムアクセスメモリを含み、プロセッサ620に命令およびデータを供給することができる。メモリ630の一部は、不揮発性ランダムアクセスメモリをさらに含んでもよい。たとえば、メモリ630は、デバイスタイプについての情報をさらに記憶することができる。
【０１３５】
一実装プロセスでは、前述の方法におけるステップは、プロセッサ620内のハードウェア集積論理回路を使用することにより、またはソフトウェアの形態の命令を使用することによって実装することができる。本出願を参照して開示された方法のステップは、ハードウェアプロセッサによって直接実装されてもよく、またはハードウェアとプロセッサ内のソフトウェアモジュールの組合せによって実装されてもよい。ソフトウェアモジュールは、ランダムアクセスメモリ、フラッシュメモリ、読取り専用メモリ、プログラマブル読取り専用メモリ、電気的消去可能プログラマブルメモリ、またはレジスタなどの、当技術分野の成熟記憶媒体内に位置してもよい。記憶媒体はメモリ630内に位置し、プロセッサ620はメモリ630内の情報を読み取り、プロセッサのハードウェアと組み合わせて前述の方法におけるステップを完了する。繰返しを避けるために、詳細は本明細書では再び記載されない。
【０１３６】
本出願によるダウンリンク制御情報送信装置600は、本出願の方法における端末デバイスに対応してもよく、ダウンリンク制御情報送信装置600の各ユニットおよびモジュールならびに前述の別の動作および／または機能は、端末デバイスによって実行される方法200の対応する手順を個別に実施するように意図されていることを理解されたい。簡潔にするために、本明細書では詳細は記載されない。
【０１３７】
したがって、本出願のアップリンク制御情報送信装置は、ターゲットリソースをM個のリソースサブセットに分割し、N個の不連続な制御チャネルベアリングリソースユニット上でダウンリンク制御情報を送信するために、M個のリソースサブセットを使用して周波数領域内で不連続なN個の制御チャネルベアリングリソースユニットを決定し、それにより、周波数ダイバーシティ利得が確保される。
【０１３８】
本明細書で開示された実施形態に記載された例と組み合わせて、ユニットおよびアルゴリズムステップは、電子ハードウェア、またはコンピュータソフトウェアと電子ハードウェアの組合せによって実装されてもよいことを当業者なら認識されよう。機能がハードウェアによって実行されるか、またはソフトウェアによって実行されるかは、技術的解決策の特定の用途および設計制約に依存する。当業者は、様々な方法を使用して、特定の用途ごとに記載された機能を実装することができるが、その実装形態が本出願の範囲を超えると考えられるべきではない。
【０１３９】
便利で簡潔な説明のために、上記のシステム、装置、およびユニットの詳細な動作プロセスについては、上記の方法実施形態における対応するプロセスを参照されたく、本明細書では詳細は再び記載されないことを当業者なら明確に理解されよう。
【０１４０】
本出願において提供されたいくつかの実施形態では、開示されたシステム、装置、および方法は他の方式で実装されてもよいことを理解されたい。たとえば、記載された装置実施形態は一例にすぎない。たとえば、ユニット分割は論理的な機能分割にすぎず、実際の実装形態では他の分割であってもよい。たとえば、複数のユニットまたは構成要素は組み合わされるか、もしくは別のシステムに統合されてもよく、または、いくつかの機能は無視されるか、もしくは実行されなくてもよい。加えて、表示または説明された相互結合または直接結合または通信接続は、いくつかのインターフェースを使用することによって実装されてもよい。装置間またはユニット間の間接結合または通信接続は、電気、機械、または他の形態で実装されてもよい。
【０１４１】
別々の部分として記載されたユニットは、物理的に分かれていてもいなくてもよく、ユニットとして表示された部分は、物理ユニットであってもそうでなくてもよく、1つの場所に配置されてもよく、または複数のネットワークユニット上に分散されてもよい。ユニットの一部またはすべては、実施形態の解決策の目的を達成するために、実際の要件に基づいて選択されてもよい。
【０１４２】
加えて、本出願の実施形態における機能ユニットは1つの処理ユニットに統合されてもよく、またはユニットの各々は物理的に単独で存在してもよく、または2つ以上のユニットが1つのユニットに統合される。
【０１４３】
機能がソフトウェア機能ユニットの形態で実装され、独立した製品として販売または使用されるとき、機能はコンピュータ可読記憶媒体に記憶されてもよい。そのような理解に基づいて、本出願の技術的解決策は本質的に、または従来技術に寄与する部分は、または技術的解決策の一部は、ソフトウェア製品の形態で実装されてもよい。コンピュータソフトウェア製品は記憶媒体に記憶され、本出願の実施形態に記載された方法のステップのすべてまたは一部を実行するように、（パーソナルコンピュータ、サーバ、またはネットワークデバイスであってもよい）コンピュータデバイスに命令するためのいくつかの命令を含む。前述の記憶媒体には、USBフラッシュドライブ、リムーバブルハードディスク、読取り専用メモリ（Read−Only Memory、ROM）、ランダムアクセスメモリ（Random Access Memory、RAM）、磁気ディスク、または光ディスクなどの、プログラムコードを記憶することができる任意の媒体が含まれる。
【０１４４】
上記の説明は、本出願の特定の実装形態にすぎず、本出願の保護範囲を限定するものではない。本出願に開示された技術的範囲内で当業者が容易に考え付くいかなる変形または置換は、本出願の保護範囲内に入るべきである。したがって、本出願の保護範囲は、特許請求の範囲の保護範囲に従うべきである。
【符号の説明】
【０１４５】
100  ワイヤレス通信システム
102  ネットワークデバイス
104  アンテナ
106  アンテナ
108  アンテナ
110  アンテナ
112  アンテナ
114  アンテナ
116  端末デバイス
118  順方向リンク
120  逆方向リンク
122  端末デバイス
124  順方向リンク
126  逆方向リンク
200  方法
300  ダウンリンク制御情報送信装置
310  処理ユニット
320  送信ユニット
400  ダウンリンク制御情報送信装置
410  処理ユニット
420  受信ユニット
500  ダウンリンク制御情報送信装置
510  送信機
520  プロセッサ
530  メモリ
600  ダウンリンク制御情報送信装置
610  受信機
620  プロセッサ
630  メモリ
【図１】
0006961707.tif 000002
【図２】
0006961707.tif 000003
【図３】
0006961707.tif 000004
【図４】
0006961707.tif 000005
【図５】
0006961707.tif 000006
【図６】
0006961707.tif 000007
【図７】
0006961707.tif 000008
【図８】
0006961707.tif 000009
【図９】
0006961707.tif 000010
【図１０】
0006961707.tif 000011
【図１１】
0006961707.tif 000012
【図１２】
0006961707.tif 000013
【図１３】
0006961707.tif 000014
【図１４】
0006961707.tif 000015